(57)【特許請求の範囲】
【請求項１】
シャットル通過空間を置き互に対向して棚柱に固設した腕木（５）と、対向する左右の腕木（５）上にこれと直交し四隅でクッションゴム（１１）を介し取付けられた平滑面を有する長方形をした左右の受座（１０）とで構成したことを特徴とする段差吸収機能を備えた自動倉庫棚。
【請求項２】
シャットル通過空間を置き互に対向して棚柱に固設した腕木（５）と、対向する左右の腕木（５）上にこれと直交し四隅で防振ゴム又は金属ばねを介し取付けられた平滑面を有する長方形をした左右の受座（１０）とで構成したことを特徴とする段差吸収機能を備えた自動倉庫棚。
【請求項３】
受座（１０）はその上面が平滑面を有する鋼板ブロック又は巾狭の樹脂パレットよりなる請求項１又は２記載の段差吸収機能を備えた自動倉庫棚。
【発明の詳細な説明】
【０００１】
【発明の属する技術分野】
本発明は、段差吸収機能を備えた自動倉庫棚に関するものである。
【０００２】
【従来の技術】
図７は公知の自動倉庫である。１は自動倉庫Ａの個々の棚、２は棚１上に載せた荷物、３はスタッカ−クレ−ン、４は荷物２を昇降する昇降台である。自動倉庫Ａは縦方向の複数の棚を有する棚ブロックａ1，ａ2・・・等を予め製作し、これを現地でこのブロック単位で据付け完成している。
【０００３】
図８は図７に於ける自動倉庫Ａの任意の棚１に荷物２を載せた状態を示す。荷物２をパレット６を介し、左右の腕木５上に載せて格納した状態を示す。荷物(図では紙ロ−ル）２を載せたパレット６を棚に格納するには、スタッカ−クレ−ン３の昇降台４上に設けた前後にスライドするスライド装置、例えばシャットル装置７を、テレスコピックに伸長させることにより、この上に載せたパレット６を前進させて行う。スタッカ−クレ−ン３は棚ブロックａ1，ａ2・・・の前に敷かれたレ−ル８上を走行する。９は昇降台４を昇降させる昇降用ドラムである。逆にスタッカ−クレ−ン３で荷物２を取出すには、昇降台４をその真下に移動し、シャットル装置７を前進させたのち、これを上昇させて、パレット６を持ち上げ取出すようになっている。
【０００４】
さてこのような従来型自動倉庫でスタッカ−クレ−ン３のシャットル装置７で荷物２を保管する場合は、左右の腕木５，５には±２〜±３mmの段差ｄが製造上発生している（図８(ｂ)）。
【０００５】
図９(ａ)，(ｂ)のように紙ロ−ルを横置き（胴受）すると、腕木上に設けた受座にロ−ル面が当り、印刷面に傷がつきやすいので、図９(ｃ)の如く縦置きにしたい。縦置きロ−ルは一般にパレット上に置いて保管されるが、パレットなしで直接ロ−ルを棚に保管できればパレットの保管の手間や出荷後の空パレットの処置が不要となる。更にロ−ルを縦置きにすると、通常ロ−ルの直径Ｄはその長さＬより小さいので、床面積が少なくて済み、倉庫全体の保管容積効率を高めることができる。しかしロ−ルを段上に直接置くと、上にのべたように棚の腕木に段差があるとロ−ルの端面に腕木５のエッジが当り傷がつく。あるいはパレット上に置いて腕木上に載せると図９(ｄ)の如くパレットに剛性がないとこれが反り、ロ−ル端に傷がつく。この傷があると、高速印刷時にその傷が原因で紙が破断し、印刷工程の停止というトラブルが発生し、多大の損害につながる。
【０００６】
（段差の対策）
このような腕木５，５間の段差は不可避として、これの対策として、腕木上にロ−ル受台を設ける方法が考えられる。この受台として▲１▼一軸ヒンジ型（図１０(ａ)）、▲２▼完全一体構造型(図１０(ｂ))、▲３▼一体高剛性型、▲４▼一体軟剛性型、等が考えられている。▲１▼の一軸ヒンジ式は図１０(ａ)の如く受座をそれぞれ一軸ヒンジで回動可能に支持する方式であるが、実用的にはこの一軸支持では機能不十分である。▲２▼の完全一体構造型は受座を図１０(ｂ)に示す如く横枠とその上のこれと直交する左右縦枠とで構成し、縦枠上面の平面度を±０．５mm等の高精度にするが、段差の精度は確保されてもこのブロックを地上で製作し、棚の高所（１００kgで高さ２０〜３０ｍも高い所）に数多く取付けることはコスト的・人手の問題、あるいは足場の確保等を勘案すると実質的に不可能である。
【０００７】
次に▲３▼の一体高剛性型は図１０(ｃ)の如く、受台を一体の樹脂製とするのであるが、▲２▼の完全一体型を軽量化するメリットはあるが、上記▲２▼の理由で実質的に不可能である。
さらに、図１０(ｄ)の一体軟剛性型は薄板鋼板で一体に構成するもので、これによりクッション効果を持たせるものであるが、この場合も、ロ−ルに薄板を追従させるべく、段差と薄板との間に隙間を持たせるものであるが、設計的に容易でない。
【０００８】
【発明が解決しようとする課題】
本発明は、このように、荷物特に紙ロ−ルを縦置きで腕木５，５間にパレットを使用しないで直接に載せたときに、左右の腕木５，５に段差があっても、この段差を吸収し、紙ロ−ルの端に傷の発生を防ぐことができる自動倉庫の棚を提供するものである。
【０００９】
【課題を解決するための手段】
シャットル通過空間を置き互に対向して棚柱に固設した腕木５と、対向する左右の腕木５上にこれと直交して四隅でクッションゴム１１を介し取付けられた平滑面を有する長方形をした左右の受座１０とで構成した。
そして受座１０はその上面が平滑面を有する鋼板ブロック又は巾狭の樹脂パレットより構成した。
又クッションゴム１１は防振ゴムでも良いが、金属ばねも使用できる。
【００１０】
【発明の実施の形態】
図１は本発明による段差吸収機能を有する棚の構造を示す斜視図である。１０は棚１の腕木５上にこれと直交して設けた受座である。受座１０は鋼板製ブロック又は巾狭の樹脂パレット材等よりなっている。受座１０は長方形をなし、その四隅でクッションゴム１１で腕木５上に取付けられる。クッションゴム１１はたとえば図２に示す如く、筒状をしたゴム体内にボルトの頭が埋め込まれたもので、この下側のボルトを腕木５に通し、上側のボルトは受座１０の隅部に通し、ナット締めすることによって固着している。又クッションゴム１１は市販の防振ゴムでも良いが通常の自動倉庫では入替頻度が少ないので安価なゴムでも良いし、金属バネも使用できる。
【００１１】
このように、腕木５上に、クッションゴム１１を介して長方形の受座１０を取付けたので、紙ロ−ル２下面の形状に合わせて受座１０が追従し、左右腕木５，５間の段差はスム−ズに解消される。この場合紙ロ−ル２は左右の受座１０上に乗るので、面圧分布も図３(ａ)の如くなり、図３(ｂ)に示す一体構造型の場合に比べ、応力集中度はその１／２以下となる。
【００１２】
図４はクッションゴム１１を介し取付けた受座１０が段差ｄがあってもよくこれを吸収することを示す。即ち図４の如く段差ｄが存在すると、受座１０が左に若干傾いて均衡し、紙ロ−ル下面は左右の受座１０上に段差なしで着座する。
図５は２軸段差、即ち左右の腕木５に３次元的捩りがあっても、４個のクッションゴム１１の存在によって均衡する。
【００１３】
（作動）
紙ロ−ルの受渡し機能（図６参照）
（１）紙ロ−ル２を棚上に置く場合
▲１▼シャットル装置７上に紙ロ−ル２を載せて棚に進入する。
▲２▼昇降台が下降してシャットル装置７を下げる。
▲３▼紙ロ−ル２の下端面が受座１０に当たり、左右の受座１０が紙ロ−ル２の下面に均衡したところで停止する（図６(ｂ)）。
▲４▼シャットル装置７を一定ストロ−ク下降した後引抜く。
【００１４】
（２）紙ロ−ル２を取り出す場合
▲１▼シャトル装置（空荷）で棚１の前に進入。
▲２▼シャトル装置（昇降台）を上昇させる。
▲３▼昇降台の上昇途中でシャットル装置７の上面が紙ロ−ル２の下面に当たり持上げる。
▲４▼紙ロ−ルの下面が左右の受座１０から離れたところで、上昇を停止する（一定ストロ−クで停止）。
【００１５】
（３）クッションゴムの機能について
腕木５とは分離した受座１０の上面で紙ロ−ルを腕木５の精度（平坦度）とは無関係に受けることができる。そして受座１０がクッションゴム１１により紙ロ−ル２に追従するので、紙ロ−ル２端面での局部的応力集中が少なく、紙ロ−ルを傷つけることがない。
【００１６】
１．以上本発明は自動倉庫用棚の段差吸収機構であるが、これ以外にも例えばフォ−クリフトで移載する置台にも適用することができる。
２．又荷物の種類は（紙）ロ−ルについて説明したが、これ以外にも一体形状で両端支持可能であれば本機構を他に応用することができる。
【００１７】
【発明の効果】
棚を構成する腕木５、腕木５上の受座１０は、地上で腕木５上に組付けたのち、棚ブロックを組立て据付けることができるので、通常と同様の据付ができ、高所作業が不要となる。又棚の腕木５の精度は標準的段差ｄのあるもので良く、安価に提供できる。
クッションゴム１１のクッション作用により、紙ロ−ル２の損傷がさけられる。
紙ロ−ル２の縦置きが可能となり、棚全体の保管容積効率が上がり、かつパレットレス化を実現することが可能となった。
【図面の簡単な説明】
【図１】本発明の段差吸収棚の斜視図。
【図２】クッションゴムの正面図。
【図３】  (ａ)は本発明に係る棚の面圧分布図、(ｂ)は一体構造型棚の面圧分布図。
【図４】本発明の段差吸収機能の説明図。
【図５】本発明のロ−ルの捩りに対する機能説明図。
【図６】本発明に係る棚へのロ−ルの受渡し説明図。
【図７】公知自動倉庫。
【図８】図７における部分詳細図。
【図９】紙ロ−ルの支持方法を示し、(ａ)及び(ｂ)は横置き、(ｃ)はパレットによる縦置きを示す。
【図１０】腕木上におく受台の諸例を示す。
【符号の説明】
Ａ  自動倉庫
１  棚                          ２  荷物（紙ロ−ル）
３  スタッカ−クレ−ン          ４  昇降台
５  腕木                        ６  パレット
７  シャットル装置              ８  レ−ル
９  昇降用ドラム                10  受座
11  クッションゴム
【図１】
0003728355.tif 000002
【図２】
0003728355.tif 000003
【図３】
0003728355.tif 000004
【図４】
0003728355.tif 000005
【図５】
0003728355.tif 000006
【図６】
0003728355.tif 000007
【図７】
0003728355.tif 000008
【図８】
0003728355.tif 000009
【図９】
0003728355.tif 000010
【図１０】
0003728355.tif 000011